(57)【特許請求の範囲】
【請求項１】
建物の外周側には、少なくとも二方向に建物外部と連通する第一の開放面と第二の開放面とを備えた凹所又は平部テラスが設けられ、
さらに、前記第一の開放面には建物の第一の外壁面の略延長上に第一のルーバーパネルが設置されると共に、
前記第二の開放面には建物の第二の外壁面の略延長上に第二のルーバーパネルが設置され、
前記第一のルーバーパネルと、前記第二のルーバーパネルとは同じ柱に支持され、
前記ルーバーパネルのうち少なくとも１つのルーバーパネルが分割されて複数のルーバーパネル部とされ、かつ複数の前記ルーバーパネル部の間に前記ルーバーパネル部を回動可能とする回転軸が設けられていることを特徴とするルーバー付き建物。
【請求項２】
前記第一の開放面及び前記第二の開放面の少なくとも一方の面と対向する建物の外壁面には、開口部が形成されていることを特徴とする請求項１に記載のルーバー付き建物。
【請求項３】
建物の屋外側に、第一の開放面と第二の開放面と第三の開放面とを有し、三方向に建物外部と連通する平部テラスを備え、
さらに、前記第一の開放面には建物の第一の外壁面の略延長上に第一のルーバーパネルが設置されると共に、
前記第二の開放面には建物の第二の外壁面の略延長上に第二のルーバーパネルが設置され、
前記第三の開放面に第三のルーバーパネルが設置され、
前記第三のルーバーパネルは、前記第一のルーバーパネルと同じ柱、又は前記第二のルーバーパネルと同じ柱に支持されており、或いは、前記第一のルーバーパネルと同じ柱及び前記第二のルーバーパネルと同じ柱の両方に支持されており、
前記ルーバーパネルのうち少なくとも１つのルーバーパネルが分割されて複数のルーバーパネル部とされ、かつ複数の前記ルーバーパネル部の間に前記ルーバーパネル部を回動可能とする回転軸が設けられていることを特徴とするルーバー付き建物。
【請求項４】
建物の屋外側に、二方向に建物外部と連通する２面の開放面を有するアルコーブ、又は三方向に建物外部と連通する３面の開放面を有する平部テラスを備え、
前記２面の開放面、又は前記３面の開放面のそれぞれにルーバーパネルが配置されており、
前記２面の開放面、又は前記３面の開放面に設置された複数の前記ルーバーパネルのうち、一開放面に設置された一方のルーバーパネルを全開したときに、隣接する開放面に設けられた他方のルーバーパネルと重ね合わせ可能としたことを特徴とするルーバー付き建物。
【請求項５】
前記重ね合わせにより前記一方のルーバーパネルの隙間部が前記他方のルーバーパネルのルーバー部に対向し、かつ前記一方のルーバーパネルのルーバー部が前記他方のルーバーパネルの隙間部に対向することを特徴とする請求項４に記載のルーバー付き建物。
【請求項６】
前記ルーバーパネルが水平方向中間部で分割されて複数のルーバーパネル部とされ、かつ複数の前記ルーバーパネル部の間に前記ルーバーパネル部をそれぞれ回動可能とする回転軸を設けたことを特徴とする請求項１から請求項５までのいずれか１項に記載のルーバー付き建物。
【請求項７】
前記ルーバーパネルの一部に、引き違い又は引き込みを可能とする開閉用ルーバーパネル部を設けたことを特徴とする請求項１に記載のルーバー付き建物。
【発明の詳細な説明】
【技術分野】
【０００１】
本発明は、ルーバー付き建物に関する。
【背景技術】
【０００２】
下記特許文献１には、建物の外構部に複数の独立柱を立て、ルーバーパネルを架設して目隠し壁とした構成が開示されている。
【特許文献１】特開２００３−４９４７８号公報
【発明の開示】
【発明が解決しようとする課題】
【０００３】
しかしながら、上記先行技術では、目隠し壁によって視線を遮ることは可能であるが、目隠し壁を設けた部分では人の通行ができず、建物のプランニング上の制約となっていた。
【０００４】
本発明は上記事実を考慮し、人の通行が可能で、建物のプランニング上の自由度を高めることができるルーバー付き建物を得ることが目的である。
【課題を解決するための手段】
【０００５】
請求項１の発明に係るルーバー付き建物は、建物の外周側には、少なくとも二方向に建物外部と連通する第一の開放面と第二の開放面とを備えた凹所又は平部テラスが設けられ、さらに、前記第一の開放面には建物の第一の外壁面の略延長上に第一のルーバーパネルが設置されると共に、前記第二の開放面には建物の第二の外壁面の略延長上に第二のルーバーパネルが設置され、前記第一のルーバーパネルと、前記第二のルーバーパネルとは同じ柱に支持され、前記ルーバーパネルのうち少なくとも１つのルーバーパネルが分割されて複数のルーバーパネル部とされ、かつ複数の前記ルーバーパネル部の間に前記ルーバーパネル部を回動可能とする回転軸が設けられていることを特徴とする。
【０００６】
請求項２の発明は、請求項１記載のルーバー付き建物において、前記第一の開放面及び前記第二の開放面の少なくとも一方の面と対向する建物の外壁面には、開口部が形成されていることを特徴とする。
【０００７】
請求項３の発明に係るルーバー付き建物は、建物の屋外側に、第一の開放面と第二の開放面と第三の開放面とを有し、三方向に建物外部と連通する平部テラスを備え、さらに、前記第一の開放面には建物の第一の外壁面の略延長上に第一のルーバーパネルが設置されると共に、前記第二の開放面には建物の第二の外壁面の略延長上に第二のルーバーパネルが設置され、前記第三の開放面に第三のルーバーパネルが設置され、前記第三のルーバーパネルは、前記第一のルーバーパネルと同じ柱、又は前記第二のルーバーパネルと同じ柱に支持されており、或いは、前記第一のルーバーパネルと同じ柱及び前記第二のルーバーパネルと同じ柱の両方に支持されており、前記ルーバーパネルのうち少なくとも１つのルーバーパネルが分割されて複数のルーバーパネル部とされ、かつ複数の前記ルーバーパネル部の間に前記ルーバーパネル部を回動可能とする回転軸が設けられていることを特徴とする。
【００１０】
請求項４の発明に係るルーバー付き建物は、建物の屋外側に、二方向に建物外部と連通する２面の開放面を有するアルコーブ、又は三方向に建物外部と連通する３面の開放面を有する平部テラスを備え、前記２面の開放面、又は前記３面の開放面のそれぞれにルーバーパネルが配置されており、前記２面の開放面、又は前記３面の開放面に設置された複数の前記ルーバーパネルのうち、一開放面に設置された一方のルーバーパネルを全開したときに、隣接する開放面に設けられた他方のルーバーパネルと重ね合わせ可能としたことを特徴とする。
【００１１】
請求項５の発明は、請求項４に記載のルーバー付き建物において、前記重ね合わせにより前記一方のルーバーパネルの隙間部が前記他方のルーバーパネルのルーバー部に対向し、かつ前記一方のルーバーパネルのルーバー部が前記他方のルーバーパネルの隙間部に対向することを特徴とする。
【００１２】
請求項６の発明は、請求項１から請求項５までのいずれか１項に記載のルーバー付き建物において、前記ルーバーパネルが水平方向中間部で分割されて複数のルーバーパネル部とされ、かつ複数の前記ルーバーパネル部の間に前記ルーバーパネル部をそれぞれ回動可能とする回転軸を設けたことを特徴とする。
【００１３】
請求項７の発明は、請求項１に記載のルーバー付き建物において、前記ルーバーパネルの一部に、引き違い又は引き込みを可能とする開閉用ルーバーパネル部を設けたことを特徴とする。
【００１４】
請求項１記載の本発明によれば、建物の外周側に少なくとも二方向に建物外部と連通する第一の開放面と第二の開放面とを備えた凹所又は平部テラスが設けられ、第一の開放面には建物の第一の外壁面の略延長上に第一のルーバーパネルが設置されると共に、第二の開放面には建物の第二の外壁面の略延長上に第二のルーバーパネルが設置されている。第一のルーバーパネルと、第二のルーバーパネルとは同じ柱に支持されている。これにより、状況に応じて第一の開放面及び第二の開放面の一方又は両方のルーバーパネルを開放することができる。このため、第一の開放面及び第二の開放面の屋外側から凹所又は平部テラスへの視線を遮りつつ、通風及び採光を確保することができる。また、第一の開放面及び第二の開放面のいずれか一方のルーバーパネルを開放することにより、人の出入りが可能である。従って、状況に応じてルーバーパネルを開放、閉止することができ、建物のプランニング上の自由度を高めることができる。
さらに、上記ルーバーパネルのうち少なくとも１つのルーバーパネルが分割されて複数のルーバーパネル部とされ、かつ複数のルーバーパネル部の間に設けられた回転軸によってルーバーパネル部が回動可能とされている。これにより、複数のルーバーパネル部を回転軸によってそれぞれ回動させることができ、建物のプランニング上の自由度をより一層高めることができる。また、ルーバーパネル部のみを開放することで、人の出入りがスムーズとなり、利便性が増す。
【００１５】
請求項２記載の本発明によれば、第一の開放面及び第二の開放面の少なくとも一方の面と対向する建物の外壁面には、開口部が形成されており、ルーバーパネルにより視線を遮りつつ、通風及び採光を確保することができる。
【００１８】
請求項３記載の本発明によれば、建物の屋外側に、第一の開放面と第二の開放面と第三の開放面とを有し三方向に建物外部と連通する平部テラスを備えている。第一の開放面には建物の第一の外壁面の略延長上に第一のルーバーパネルが設置されると共に、第二の開放面には建物の第二の外壁面の略延長上に第二のルーバーパネルが設置され、第三の開放面に第三のルーバーパネルが設置されている。さらに、第三のルーバーパネルは、第一のルーバーパネルと同じ柱、又は第二のルーバーパネルと同じ柱に支持されており、或いは、第一のルーバーパネルと同じ柱及び第二のルーバーパネルと同じ柱の両方に支持されているので、状況に応じて３面の開放面のいずれかのルーバーパネルを開放することができる。このため、３面の開放面の屋外側から平部テラスへの視線を遮りつつ、通風及び採光をより効果的に確保することができる。また、３面の開放面のいずれかのルーバーパネルを開放することで、平部テラスの内外への人の出入りが可能である。
さらに、上記ルーバーパネルのうち少なくとも１つのルーバーパネルが分割されて複数のルーバーパネル部とされ、かつ複数のルーバーパネル部の間に設けられた回転軸によってルーバーパネル部が回動可能とされている。これにより、複数のルーバーパネル部を回転軸によってそれぞれ回動させることができ、建物のプランニング上の自由度をより一層高めることができる。また、ルーバーパネル部のみを開放することで、人の出入りがスムーズとなり、利便性が増す。
【００１９】
請求項４記載の本発明によれば、建物の屋外側に、二方向に建物外部と連通する２面の開放面を有するアルコーブ、又は三方向に建物外部と連通する３面の開放面を有する平部テラスを備え、２面の開放面、又は３面の開放面のそれぞれにルーバーパネルが配置されている。そして、一開放面に設置された一方のルーバーパネルを全開したときに、隣接する開放面に設けられた他方のルーバーパネルと重ね合わせ可能としたので、一方のルーバーパネルが全開時に邪魔になることがない。また、一方のルーバーパネルを全開して、外部からの視線が気になる開放面の他方のルーバーパネルと重ね合わせることができ、外部からの視線を遮りつつ、通風及び採光をより効果的に確保することができる。
【００２０】
請求項５記載の本発明によれば、一方のルーバーパネルを他方のルーバーパネルに重ね合わせたときに、一方のルーバーパネルの隙間部が他方のルーバーパネルのルーバー部に対向し、一方のルーバーパネルのルーバー部が他方のルーバーパネルの隙間部に対向するため、それぞれのルーバーパネルのルーバー部によって相互に視線遮蔽され、外部からの視線をほぼ完全に遮蔽することができる。
【００２１】
請求項６記載の本発明によれば、ルーバーパネルが水平方向中間部で分割されて複数のルーバーパネル部とされ、複数のルーバーパネル部の間に設けられた回転軸によってそれぞれのルーバーパネル部が回動可能とされているので、水平方向に配置された複数のルーバーパネル部をそれぞれ回動させることができ、建物のプランニング上の自由度をより一層高めることができる。また、水平方向端部に配置されたルーバーパネル部のみを開放することで、人の出入りがスムーズとなり、利便性が増す。
【００２２】
請求項７記載の本発明によれば、ルーバーパネルの一部に、引き違い又は引き込みを可能とする開閉用ルーバーパネル部を設けたので、状況に応じて開閉用ルーバーパネル部を開放、閉止することができ、建物のプランニング上の自由度をさらに一層高めることができる。また、開閉用ルーバーパネル部を開放することで、人の出入りがスムーズとなり、利便性が増す。さらに、開閉用ルーバーパネル部を回動式とする場合とは異なる趣き（和風感）を出すことができる。
【発明の効果】
【００２３】
以上説明したように、請求項１記載の本発明に係るルーバー付き建物は、ルーバーパネルの開閉により人の通行が可能で、建物のプランニング上の自由度を高めることができるという優れた効果を有する。また、ルーバーパネルを建物の外壁面の略延長上に配置することで、外観上の見栄えが良好となる。
【００２４】
請求項２記載の本発明に係るルーバー付き建物は、建物のプランニング上の自由度をより一層高めることができるという優れた効果を有する。
【００２７】
請求項３記載の本発明に係るルーバー付き建物は、３面の開放面からアルコーブの内外への人の出入りが可能であり、建物のプランニング上の自由度をより一層高めることができるという優れた効果を有する。
【００２８】
請求項４記載の本発明に係るルーバー付き建物は、一方のルーバーパネルを全開したときに当該ルーバーパネルが邪魔になることを抑止でき、アルコーブ等の空間の利用効率を下げずに済むという優れた効果を有する。
【００２９】
請求項５記載の本発明に係るルーバー付き建物は、防犯性及びプライバシー保護性能を高めることができるという優れた効果を有する。
【００３０】
請求項６記載の本発明に係るルーバー付き建物は、建物のプランニング上の自由度を高めつつ、人の出入りをスムーズにして利便性を向上させるという優れた効果を有する。
【００３１】
請求項７記載の本発明に係るルーバー付き建物は、建物のプランニング上の自由度を高めつつ、人の出入りをスムーズにして利便性を向上させるという優れた効果を有する。さらに、よりきめ細かく需要者のニーズに対応することができる。
【発明を実施するための最良の形態】
【００３２】
以下、図１〜図５を用いて、本発明に係るルーバー付き建物の第１実施形態について説明する。
【００３３】
図１には、本実施形態に係るルーバー付き建物が設けられた建物の角隅部が示されている。また図２には、建物の角隅部の側面図が示されている。これらの図に示されるように、建物１０の角隅部には、外壁１２を屋内側へ凹ませた凹所１４が形成されている。凹所１４には、外壁１２の一部を屋内側へ入り込ませた付属空間としてのアルコーブ１６が設けられている。アルコーブ１６の上部には、建物１０の外壁１２からアルコーブ１６を覆うように庇（図示省略）が延びており、建物１０の角隅部に庇（図示省略）を支える柱１８が立設されている。凹所１４は、互いに直交する方向に配置された外壁面１２Ａ、１２Ｂが屋内側へ凹んだ形状であり、桁側の外壁面１２Ａに平行であって開口部２２が形成された外壁面２０Ａと、この外壁面２０Ａと直交して妻側の外壁面１２Ｂに平行な外壁面２０Ｂと、を備えている。また、開口部２２には引き違い窓２４等が設けられている。
【００３４】
アルコーブ１６は、桁側の外壁面１２Ａと隣接する位置で建物１０の外部と連通する開放面１６Ａと、妻側の外壁面１２Ｂと隣接する位置で建物１０の外部と連通する開放面１６Ｂと、を備えている。すなわち、アルコーブ１６は、建物１０の角隅部の２方向に開放面１６Ａ、開放面１６Ｂを備えた２面開放となっている。開放面１６Ａには、外壁面１２Ａの略延長線上であって凹所１４を閉止可能な位置にルーバーパネル３０が略鉛直方向に配設されている。また、開放面１６Ｂには、外壁面１２Ｂの略延長線上であって凹所１４を閉止可能な位置にルーバーパネル３２が略鉛直方向に配設されている。
【００３５】
図２に示されるように、ルーバーパネル３０は、水平方向中間部で２つに分割された第１ルーバーパネル部３０Ａと、第２ルーバーパネル部３０Ｂとで構成されている。第１ルーバーパネル部３０Ａは、鉛直方向に配置された２個のヒンジ３４によって、柱１８に回動可能に支持されている。また、第２ルーバーパネル部３０Ｂは、鉛直方向に配置された２個のヒンジ３４によって、第１ルーバーパネル部３０Ａに回動可能に支持されている。ヒンジ３４には、鉛直方向に回転軸３４Ａが設けられており、第１ルーバーパネル部３０Ａは回転軸３４Ａを中心に回動し、開放面１６Ａを開閉可能となっている。また、第２ルーバーパネル部３０Ｂは第１ルーバーパネル部３０Ａに対して回転軸３４Ａを中心に回動し、開放面１６Ａを開閉可能となっている。また同様に、ルーバーパネル３２は、水平方向中間部で２つに分割された第１ルーバーパネル部３２Ａと、第２ルーバーパネル部３２Ｂとで構成されている。第１ルーバーパネル部３２Ａは、鉛直方向に配置された２個のヒンジ３４によって、柱１８に回動可能に支持されており、第２ルーバーパネル部３２Ｂは、鉛直方向に配置された２個のヒンジ３４によって、第１ルーバーパネル部３２Ａに回動可能に支持されている。
【００３６】
第１ルーバーパネル部３０Ａは、上フレーム４０と下フレーム４２との間にルーバー部としての矩形状の棒状部材４４を所定の間隔で複数並設したものであり、複数の棒状部材４４の間にはそれぞれ隙間部としてのスリット４６が形成されている。また、第２ルーバーパネル部３０Ｂは第１ルーバーパネル部３０Ａと同じ構成である。
【００３７】
図４に示されるように、ルーバーパネル３２は、ヒンジ３４の回転軸３４Ａを中心に開放面１６Ａ側に回動させることにより、ルーバーパネル３０と重ね合わせることができる。また、同様に、ルーバーパネル３０は、ヒンジ３４の回転軸３４Ａを中心に開放面１６Ｂ側に回動させ、ルーバーパネル３０と重ね合わせることができる。その際、図４に示されるように、ルーバーパネル３０のスリット４６がルーバーパネル３２の棒状部材４４に対向すると共に、ルーバーパネル３０の棒状部材４４がルーバーパネル３２のスリット４６に対向するような構成となっている。
【００３８】
次に、本実施形態の作用並びに効果について説明する。
【００３９】
図１に示されるように、建物１０のアルコーブ１６では、ルーバーパネル３０によってアルコーブ１６の開放面１６Ａが閉止され、ルーバーパネル３２によってアルコーブ１６の開放面１６Ｂが閉止されている。この状態では、ルーバーパネル３０、３２の複数の棒状部材４４により、外部から建物１０の開口部２２及びアルコーブ１６への視線を遮りつつ、複数のスリット４６により、採光と通風を確保することができる。すなわち、ルーバーパネル３０及びルーバーパネル３２の複数の棒状部材４４によってセミクローズ面が構成されるので、敷地外（例えば、前面道路、隣地等）から建物１０の外部スペースの死角となる部分をなくし、防犯上良好なアルコーブ１６を形成することができる。また、ルーバーパネル３０及びルーバーパネル３２の複数のスリット４６によって通風及び採光が可能な２面を確保することができる。また、敷地外からアルコーブ１６を見通せる範囲を制限できるため、プライバシーの確保が可能となる。
【００４０】
図３に示されるように、アルコーブ１６の開放面１６Ｂを閉止しているルーバーパネル３２を（第１ルーバーパネル部３２Ａと第２ルーバーパネル部３２Ｂを一体として）、ヒンジ３４を中心にルーバーパネル３０側（矢印Ａ方向）に回動させる。これによって、例えば、アルコーブ１６の内外への人の出入りが可能となる。また、アルコーブ１６の開放面１６Ａを閉止しているルーバーパネル３０を（第１ルーバーパネル部３０Ａと第２ルーバーパネル部３０Ｂを一体として）、ヒンジ３４を中心にルーバーパネル３２側に回動させることもできる。
【００４１】
図４に示されるように、ルーバーパネル３２を矢印Ａ方向に全開すると、ルーバーパネル３２がルーバーパネル３０に重ね合わされる。その際、ルーバーパネル３２のスリット４６がルーバーパネル３０の棒状部材４４に対向すると共に、ルーバーパネル３２の棒状部材４４がルーバーパネル３０のスリット４６に対向するので、ルーバーパネル３０、３２の棒状部材４４によって相互に視線遮蔽される。これにより、アルコーブ１６の開放面１６Ａ側の敷地外からの視線を完全に遮蔽することができると共に、アルコーブ１６の開放面１６Ｂ側が開放され、通風や採光を確保することができる。また、同様にルーバーパネル３０をルーバーパネル３２側に全開させることで、ルーバーパネル３０をルーバーパネル３２に重ね合わせることができ、ルーバーパネル３０のスリット４６、棒状部材４４がルーバーパネル３２の棒状部材４４、スリット４６にそれぞれ対向する。このため、開放面１６Ａ、１６Ｂのいずれか一方の敷地外からの視線を完全に遮断することができる。従って、防犯性を向上させることができると共に、プライバシーの確保が可能となる。また、西日などを遮断することができる。
【００４２】
このため、時間、時期、アルコーブ１６の用途に合わせて、セミクローズ面、オープン面、クローズ面を組み合わせた空間設定が可能となる。例えば、夜間の防犯対策にはセミクローズ（図１参照）とし、冬場の南面の日射を取り入れたい場合はオープンとし、夏場の西日を遮断したい場合はクローズ（図４の開放面１６Ａ側を参照）とすることができる。このように状況に応じてルーバーパネル３０、３２を好ましい位置に回動させることができるので、建物１０のプランニング上の自由度を高めることができる。
【００４３】
また、図５に示されるように、第２ルーバーパネル部３０Ｂをヒンジ３４を中心に第１ルーバーパネル部３０Ａに対して前後（矢印Ｂ方向）に回動させ、また、第２ルーバーパネル部３２Ｂをヒンジ３４を中心に第１ルーバーパネル部３２Ａに対して前後（矢印Ｂ方向）に回動させることができる。すなわち、水平方向端部に配置された第２ルーバーパネル部３０Ｂ、第２ルーバーパネル部３２Ｂのみを開閉することができるので、アルコーブ１６の内外への人の出入りがスムーズになり、利便性が向上する。
【００４４】
次に、本発明に係るルーバー付き建物の第２実施形態について説明する。なお、前述した第１実施形態と同一構成部分については、同一番号を付してその説明を省略する。
【００４５】
図６に示されるように、建物５０の外壁５２を構成する妻側の外壁面５２Ａには、開口部５４が形成されており、開口部５４の外側にはテラス５６が設けられている。テラス５６の上部には、建物５０の外壁５２から庇（図示省略）が延びており、テラス５６の角隅部に庇（図示省略）を支える柱５８、５９が立設されている。また、開口部５４には引き違い窓６０、６２が隣接して設けられている。
【００４６】
テラス５６は、建物５０の桁側の外壁面１２Ｂと隣接する位置で建物５０の外部と連通する開放面５６Ａ、５６Ｂと、開口部５４と対向する位置で建物５０の外部と連通する開放面５６Ｃと、を備えている。開放面５６Ａ、５６Ｂには、外壁面１２Ｂの略延長線上であってテラス５６を閉止可能な位置にルーバーパネル６２、６４がそれぞれ略鉛直方向に配設されている。また、柱５８と柱５９の間の開放面５６Ｃには、テラス５６を閉止可能な位置にルーバーパネル６６、６８が略鉛直方向に配設されている。
【００４７】
ルーバーパネル６２、６４は、それぞれ第１ルーバーパネル部３２Ａと第２ルーバーパネル部３２Ｂとからなり、第１ルーバーパネル部３２Ａはヒンジ３４を介して柱５８、５９にそれぞれ回動可能に支持されている。ルーバーパネル６６、６８は、図６中に左右対称に配置された第１ルーバーパネル部３０Ａと第２ルーバーパネル部３０Ｂとからなり、第１ルーバーパネル部３０Ａはヒンジ３４を介して柱５８、５９にそれぞれ回動可能に支持されている。
【００４８】
次に、本実施形態の作用並びに効果について説明する。
【００４９】
図６に示されるように、ルーバーパネル６６、６８によってテラス５６の開放面５６Ｃが閉止され、ルーバーパネル６２、６４によってテラス５６の開放面５６Ａ、５２Ｂが閉止されている。この状態では、ルーバーパネル６２、６４、６６、６８の複数の棒状部材４４によってセミクローズ面が構成されるので、敷地外から建物５０の死角となる部分をなくし、防犯上良好なテラス５６を形成することができる。また、ルーバーパネル６２、６４、６６、６８の複数のスリット４６によって開口部５４及びテラス５６への通風及び採光を確保することができる。また、ルーバーパネル６２、６４、６６、６８を所定の位置に回動させることで、敷地外からテラス５６を見通せる範囲を制限できるため、プライバシーの確保が可能となる。
【００５０】
図７に示されるように、テラス５６の開放面５６Ａ、５６Ｂを閉止しているルーバーパネル６２、６４を（第１ルーバーパネル部３２Ａと第２ルーバーパネル部３２Ｂを一体として）、ヒンジ３４を中心にルーバーパネル６６、６８側（矢印Ｃ方向）にそれぞれ回動させる。そして、ルーバーパネル６２がルーバーパネル６６に重ね合わされ、ルーバーパネル６４がルーバーパネル６８に重ね合わされると、ルーバーパネル６２、６４のスリット４６、棒状部材４４がルーバーパネル６６、６８の棒状部材４４、スリット４６にそれぞれ対向し、相互に視線遮蔽される。これによって、テラス５６の開放面５６Ｃ側の敷地外からの視線を完全に遮蔽することができると共に、テラス５６の対向する２つの開放面５６Ａ、５２Ｂが開放され、通風や採光を確保することができる。
【００５１】
図８に示されるように、テラス５６の開放面５６Ｃを閉止しているルーバーパネル６６、６８を（第１ルーバーパネル部３２Ａと第２ルーバーパネル部３２Ｂを一体として）、ヒンジ３４を中心にルーバーパネル６２、６４側（矢印Ｄ方向）にそれぞれ回動させる。そして、ルーバーパネル６６がルーバーパネル６２に重ね合わされ、ルーバーパネル６８がルーバーパネル６４に重ね合わされると、ルーバーパネル６６、６８のスリット４６、棒状部材４４がルーバーパネル６２、６４の棒状部材４４、スリット４６にそれぞれ対向し、相互に視線遮蔽される。これによって、テラス５６の開放面５６Ａ、５６Ｂ側の敷地外からの視線を完全に遮蔽することができると共に、テラス５６の開口部５４と対向する開放面５６Ｃが開放され、通風や採光を確保することができる。
【００５２】
このため、時間、時期、テラス５６の用途に合わせて、セミクローズ面、オープン面、クローズ面を組み合わせた空間設定が可能となる。例えば、夜間の防犯対策にはセミクローズ（図６参照）とし、冬場の南面の日射を取り入れたい場合はオープン（図８の開放面５６Ｃを参照）とし、夏場の西日を遮断したい場合はクローズ（図７の開放面５６Ｃを参照）とすることができる。このように状況に応じてルーバーパネル６２、６４、６６、６８を好ましい方向に回動させることができるので、建物５０のプランニング上の自由度を高めることができる。
【００５３】
また、各々のルーバーパネル６２、６４、６６、６８では、第２ルーバーパネル部３０Ｂをヒンジ３４を中心に第１ルーバーパネル部３０Ａに対して前後に回動させ、また、第２ルーバーパネル部３２Ｂをヒンジ３４を中心に第１ルーバーパネル部３２Ａに対して前後に回動させることができる。すなわち、第２ルーバーパネル部３０Ｂ、第２ルーバーパネル部３２Ｂのみを開閉することができるので、テラス５６の内外への人の出入りがスムーズになり、利便性が向上する。
【００５４】
なお、第２実施形態では、テラス５６を外壁面５２Ａの端から端まで設けたが、これに限らず、外壁面の途中に部分的に用いられるテラスでもよい。
【００５５】
〔上記実施形態の変形例〕
【００５６】
次に、上記実施形態の変形例について説明する。なお、前述した第１実施形態又は第２実施形態と同一構成部分については、同一番号を付してその説明を省略する。
【００５７】
図９には、本発明のルーバー付き建物の凹所を玄関ポーチに用いた例が示されている。この図に示されるように、建物８０の角隅部に形成された凹所１４に玄関ポーチ８２が設けられている。玄関ポーチ８２は、アルコーブの一態様であり、妻側の外壁面１２Ａと隣接する位置で建物８０の外部と連通する開放面１６Ａと、桁側の外壁面１２Ｂと隣接する位置で建物８０の外部と連通する開放面１６Ｂと、を備えている。建物８０の内部には、玄関ポーチ８２の妻側の開放面１６Ａと対向する位置に玄関８４が設けられており、開放面１６Ａと対向する玄関８４の外壁面２０Ａに形成された開口部８５に玄関ドア８６が設けられている。玄関ポーチ８２の開放面１６Ａには、外壁面１２Ａの略延長線上であって凹所１４を閉止可能な位置にルーバーパネル３０が配設されており、玄関ポーチ８２の開放面１６Ｂには、外壁面１２Ｂの略延長線上であって凹所１４を閉止可能な位置にルーバーパネル３２が配設されている。
【００５８】
このような玄関ポーチ８２では、時間、時期等の状況に応じてルーバーパネル３０、３２を開放又は閉止することができ、セミクローズ面、オープン面、クローズ面を組み合わせた空間設定が可能となる。また、ルーバーパネル３０、３２を好ましい方向に回動させることができるので、建物８０のプランニング上の自由度を高めることができる。
【００５９】
また、第２ルーバーパネル部３０Ｂをヒンジ３４を中心に第１ルーバーパネル部３０Ａに対して前後に回動させ、また、第２ルーバーパネル部３２Ｂをヒンジ３４を中心に第１ルーバーパネル部３２Ａに対して前後に回動させることができるので、玄関ポーチ８２の内外への人の出入りがスムーズになり、利便性が向上する。
【００６０】
図１０には、本発明のルーバー付き建物の凹所を勝手口及びサニタリーコートに用いた例が示されている。この図に示されるように、建物１００の角隅部に形成された凹所１０２にアルコーブ１０４が設けられている。アルコーブ１０４は、妻側の外壁面１２Ａと隣接した開放面１６Ａと、桁側の外壁面１２Ｂと隣接した開放面１６Ｂと、を備えた２面開放となっている。開放面１６Ｂと対向する建物１００の外壁面２０Ｂに勝手口１０５が形成されており、勝手口１０５に勝手口用ドア１０６が設けられている。建物１００の内部には、勝手口１０５に隣接してキッチン１０８が設けられ、さらにキッチン１０８に隣接してダイニング１１０が設けられている。また、開放面１６Ａと対向する外壁面２０Ａには、引き違い窓２４が設けられた開口部２２が形成されている。建物１００の開口部２２の内側には、サニタリー１１２が設けられており、さらにサニタリー１１２に隣接してバスルーム１１４が設けられている。
【００６１】
アルコーブ１０４の開放面１６Ａには、外壁面１２Ａの略延長線上であって凹所１４を閉止可能な位置にルーバーパネル３０が配設されており、アルコーブ１０４の開放面１６Ｂには、外壁面１２Ｂの略延長線上であって凹所１４を閉止可能な位置にルーバーパネル３２が配設されている。
【００６２】
このようなアルコーブ１０４では、時間、時期等の状況に応じてルーバーパネル３０、３２を開放又は閉止することができ、セミクローズ面、オープン面、クローズ面を組み合わせた空間設定が可能となる。また、ルーバーパネル３０、３２を好ましい方向に回動させることができるので、建物１００のプランニング上の自由度を高めることができる。
【００６３】
また、第２ルーバーパネル部３０Ｂをヒンジ３４を中心に第１ルーバーパネル部３０Ａに対して前後に回動させ、また、第２ルーバーパネル部３２Ｂをヒンジ３４を中心に第１ルーバーパネル部３２Ａに対して前後に回動させることができるため、アルコーブ１０４の内外への人の出入りがスムーズになり、利便性が向上する。
【００６４】
図１１には、本発明のルーバー付き建物の凹所を中庭に用いた例が示されている。この図に示されるように、建物１２０の角隅部に形成された凹所１２４には、中庭１２６が設けられている。中庭１２６は、アルコーブの一態様であり、妻側の外壁面１２２Ａと隣接した開放面１２６Ａと、桁側の外壁面１２２Ｂと隣接した開放面１２６Ｂと、を備えている。開放面１２６Ｂと対向する建物１２０の外壁面１２８Ｂには開口部１３０が形成されており、この開口部１３０に引き違い窓１３２が設けられている。また、開放面１２６Ａと対向する建物１２０の外壁面１２８Ａには開口部１３４が形成されており、この開口部１３４に引き違い窓１３６、１３７が隣接して設けられている。建物１２０の開口部１３０の内側には、外壁面１２２Ａに沿ってダイニング１３８が設けられており、ダイニング１３８の奥側にキッチン１４０が設けられている。建物１２０の開口部１３４の内側には、外壁面１２２Ｂに沿ってリビング１４２が設けられている。
【００６５】
中庭１２６の開放面１２６Ａには、外壁面１２２Ａの略延長線上であって凹所１２４を閉止可能な位置にルーバーパネル６６、６８が配設されている。中庭１２６の開放面１２６Ｂには、外壁面１２２Ｂの略延長線上であって凹所１２４を閉止可能な位置にルーバーパネル６４が配設されている。
【００６６】
このような中庭１２６では、時間、時期等の状況に応じてルーバーパネル６４、６６、６８を開放又は閉止することができ、セミクローズ面、オープン面、クローズ面を組み合わせた空間設定が可能となる。また、ルーバーパネル６４、６６、６８を好ましい方向に回動させることができるので、建物１２０のプランニング上の自由度を高めることができる。
【００６７】
また、第２ルーバーパネル部３０Ｂをヒンジ３４を中心に第１ルーバーパネル部３０Ａに対して前後に回動させ、また、第２ルーバーパネル部３２Ｂをヒンジ３４を中心に第１ルーバーパネル部３２Ａに対して前後に回動させることができる。すなわち、第２ルーバーパネル部３０Ｂ、第２ルーバーパネル部３２Ｂのみを開閉することができるので、中庭１２６の内外への人の出入りがスムーズになり、利便性が向上する。
【００６８】
〔前述した実施形態の補足説明〕
【００６９】
前述した実施形態では、２面の開放面を有するアルコーブ、玄関ポーチ、中庭、又は３面の開放面を有するテラスにルーバーパネルを設けたが、これに限らず、他の構成でも良い。例えば、建物の外周側の中間部に凹所を設け、凹所に形成された一面の開放面にルーバーパネルを設けてもよい。
【００７０】
前述した実施形態では、ルーバーパネルを水平方向中間部で２つに分割して第１ルーバーパネル部と第２ルーバーパネル部としたが、これに限らず、１枚のルーバーパネルで構成しても良い。また、水平方向中間部で複数に分割して複数のルーバーパネル部としてもよい。
【００７１】
前述した実施形態では、第１ルーバーパネル部に対して第２ルーバーパネル部を回動可能に設けたが、これに限らず、第２ルーバーパネル部を引き違い戸又は引き込み戸などからなる開閉用ルーバーパネル部としてもよい。
【００７２】
前述した実施形態では、ルーバーパネルとして、上フレームと下フレームの間に複数の棒状部材が固定された構造であるが、複数の棒状部材を回転可能な羽根部材とし、羽根部材の角度を調節できる構成としてもよい。
【００７３】
前述した実施形態のルーバー付き建物は、ユニット住宅、在来工法の住宅、又は住宅以外の用途に供される建物に対して適用することができる。
【００７４】
また、前述した実施形態のルーバー付き建物をユニット住宅に適用した場合には、工場生産によりルーバーパネルをユニットに取り付けておき、現場にユニットを運んで組み立てることにより、ルーバー付きのユニット住宅を完成することができるという効果がある。従って、現場でのルーバーパネルの取付作業工程を省くことができ、工期の短縮化を図ることができる。さらに、ルーバーパネルを工場内でユニットに取付けるので、品質管理を容易に行うことができる。
【図面の簡単な説明】
【００７５】
【図１】第１実施形態に係るルーバー付き建物を示す平面図である。
【図２】図１に示すルーバー付き建物のルーバーパネルを示す側面図である。
【図３】図１に示すルーバー付き建物の一方のルーバーパネルを回動させた状態を示す平面図である。
【図４】図１に示すルーバー付き建物の一方のルーバーパネルを全開した状態を示す平面図である。
【図５】図１に示すルーバー付き建物のルーバーパネルの第２ルーバーパネル部を開放した状態を示す平面図である。
【図６】第２実施形態に係るルーバー付き建物を示す平面図である。
【図７】図１に示すルーバー付き建物の開放２面のルーバーパネルを全開した状態を示す平面図である。
【図８】図１に示すルーバー付き建物の他方の開放面のルーバーパネルを全開した状態を示す平面図である。
【図９】第１実施形態の第１変形例に係るルーバー付き建物を示す平面図である。
【図１０】第１実施形態の第２変形例に係るルーバー付き建物を示す平面図である。
【図１１】第１実施形態の第３変形例に係るルーバー付き建物を示す平面図である。
【符号の説明】
【００７６】
１０   建物
１２Ａ 外壁面
１２Ｂ 外壁面
１４   凹所
１６   アルコーブ
１６Ａ 開放面
１６Ｂ 開放面
２２   開口部
３０   ルーバーパネル
３０Ａ 第１ルーバーパネル部（複数のルーバーパネル部）
３０Ｂ 第２ルーバーパネル部（複数のルーバーパネル部）
３２   ルーバーパネル
３２Ａ 第１ルーバーパネル部（複数のルーバーパネル部）
３２Ｂ 第２ルーバーパネル部（複数のルーバーパネル部）
３４Ａ 回転軸
４４   棒状部材（ルーバー部）
４６   スリット（隙間部）
５０   建物
５４   開口部
５６   テラス（平部テラス）
５６Ａ 開放面
５６Ｂ 開放面
５６Ｃ 開放面
６２   ルーバーパネル
６４   ルーバーパネル
６６   ルーバーパネル
６８   ルーバーパネル
８０   建物
８２   玄関ポーチ
８５   開口部
１００ 建物
１０２ 凹所
１０４ アルコーブ
１０５ 勝手口（開口部）
１２０ 建物
１２２Ａ      外壁面
１２２Ｂ      外壁面
１２４ 凹所
１２６ テラス（平部テラス）
１２６Ａ      開放面
１２６Ｂ      開放面
１３０ 開口部
１３４ 開口部
【図１】
0005557979.tif 000002
【図２】
0005557979.tif 000003
【図３】
0005557979.tif 000004
【図４】
0005557979.tif 000005
【図５】
0005557979.tif 000006
【図６】
0005557979.tif 000007
【図７】
0005557979.tif 000008
【図８】
0005557979.tif 000009
【図９】
0005557979.tif 000010
【図１０】
0005557979.tif 000011
【図１１】
0005557979.tif 000012